(57)【要約】【課題】電気炊飯器等の電気調理器の液晶表示パネル部分の消費電力を低減する。【解決手段】調理メニューその他の調理情報を表示する液晶表示パネルを備え、該液晶表示パネルに調理に必要な情報を表示しながら所望の電気調理を行うように構成された電気調理器であって、上記液晶表示パネルはメモリ機能を有し、電圧印加時にのみ表示内容を変更し、電圧が印加されない時は電圧印加時の表示内容を維持するように構成されている。  その結果、常時液晶に電圧を印加することなく、表示内容を更新するときにだけ電圧を印加すれば良くなり、例えば時計表示、炊飯残時計表示、保温経過時計表示等その他の各種調理情報表示動作中の消費電力を大きく節約することができる。【選択図】        図４
2008259741.tif 000002
【特許請求の範囲】
【請求項１】
調理メニューその他の調理情報を表示する液晶表示パネルを備え、該液晶表示パネルに調理に必要な情報を表示しながら所望の電気調理を行うように構成された電気調理器であって、上記液晶表示パネルはメモリ機能を有し、電圧印加時にのみ表示内容を変更し、電圧が印加されない時は電圧印加時の表示内容を維持するように構成されていることを特徴とする電気調理器。
【請求項２】
液晶表示パネルは、所定の時間を置いて間欠的に駆動されることにより表示内容が更新されるようになっていることを特徴とする請求項１記載の電気調理器。
【請求項３】
液晶表示パネルに表示される情報が、販売促進用のデモ情報である特徴とする請求項１又は２記載の電気調理器。
【請求項４】
液晶表示パネルが、ドットマトリックス表示方式のものである特徴とする請求項１，２又は３記載の電気調理器。
【発明の詳細な説明】
【技術分野】
【０００１】
本願発明は、液晶表示パネルを備えた電気炊飯器等の電気調理器に関するものである。
【背景技術】
【０００２】
電気調理器の一例としての、例えば電気炊飯器では、マイコン制御手段を備え、例えば白米、無洗米、早炊き、すしめし、炊き込み、玄米、おかゆ等の各種の炊飯メニューの選択設定と、それらに対応した炊飯工程の制御並びに保温制御を行えるようにしたものが多くなっている。また、保温の場合にも、例えば標準保温やつやつや保温などの保温メニューに加え、高め、低め、標準等任意の各種保温温度の設定が可能となっている。
【０００３】
そして、これら各種炊飯又は保温メニューの選択設定は、炊飯器本体の外ケース前面側の操作パネル部に設けられた各種操作キーとその操作設定状態を表示するディスプレイ手段である液晶表示パネルとを使用して行われるようになっており、そのようにして選択設定操作が行われると、それに対応した炊飯又は保温メニューのプログラムが上記マイコン制御手段側のメモリ部から自動的に読み出されて、適切な炊飯又は保温制御が実行されるようになっている（例えば特許文献１を参照）。
【０００４】
これらの事情は、例えば電気圧力調理鍋などの電気調理器の場合にも同様である。
【０００５】
【特許文献１】特開平１１−１３７４２１号公報（明細書第１−８頁、図１−１１）
【発明の開示】
【発明が解決しようとする課題】
【０００６】
ところが、従来の電気炊飯器等の電気調理器に使用されている液晶表示パネルは、非メモリ型（単安定型）のものであり、その駆動回路に常時駆動電圧を印加しておかなければ表示状態を維持することができない。
【０００７】
したがって、その分だけ常時消費電力を必要とし、省エネ性能向上の見地からも解決すべき課題の一つとなっている。
【０００８】
また、一方同電気炊飯器等の電気調理器では、一般に待機中に時計表示等が行われるようになっているが、この時計表示をＡＣ電源のない状態（例えば停電時や販売店の店頭での展示状態など）で表示させようとすると、バックアップ用の電源電池の電源を必要とし、その寿命が問題となる。
【０００９】
このため、例えば店頭での販売状態では、一般に液晶表示パネル部の電源を切ったＯＦＦ状態で販売されており、折角の液晶表示パネル部分に集約されている商品性能が十分に消費者に訴求されていない悩みがある。
【００１０】
本願発明は、このような課題を解決するためになされたものであって、常時液晶部分に駆動電圧を印加することなく、表示内容を更新するときにだけ駆動電圧を印加すれば良いようにすることにより、電気炊飯器等電気調理器の時計表示、炊飯残時間表示、保温経過時間表示等の各種表示動作中の消費電力を大きく節約し、また電源電池の長寿命化を図ることができるようにした電気調理器を提供することを目的とするものである。
【課題を解決するための手段】
【００１１】
本願各発明は、上記の目的を達成するために、それぞれ次のような課題解決手段を備えて構成されている。
【００１２】
（１）  請求項１の発明
この発明の電気調理器は、調理メニューその他の調理情報を表示する液晶表示パネルを備え、該液晶表示パネルに調理に必要な情報を表示しながら所望の電気調理を行うように構成された電気調理器であって、上記液晶表示パネルはメモリ機能を有し、電圧印加時にのみ表示内容を変更し、電圧が印加されない時は電圧印加時の表示内容を維持するように構成されている。
【００１３】
その結果、常時液晶表示パネルに電圧を印加することなく、表示内容を更新するときにだけ電圧を印加すれば良くなり、時計表示その他の各種調理情報表示動作中の消費電力を大きく節約することができる。
【００１４】
（２）  請求項２の発明
この発明の電気調理器は、上記請求項１の発明の構成において、液晶表示パネルは、所定の時間を置いて間欠的に駆動されることにより表示内容が更新されるようになっていることを特徴としている。
【００１５】
メモリ機能をもった液晶表示パネルは、上述のように、一旦電圧を印加して所定の情報の表示を行うと、その後は電圧の印加がなくても同情報の表示を続けることができる。
【００１６】
したがって、各種の電気調理器において一般に使用されている時計表示の場合に、例えば１分（６０秒）間隔で間欠的に表示時刻を更新して行ったり、電気炊飯器の炊飯残時間表示や保温経過時間表示の場合に１時間（６０分）間隔で、間欠的に表示時間を減算し、また加算して行くようにすると、その間の電圧印加をＯＦＦにすることが可能となる。
【００１７】
その結果、従来のように全ての表示時間中において、継続的に駆動電圧を印加する場合に比べて、相当に消費電力を節約することができる。
【００１８】
また、上記印加電圧のＯＦＦ期間中は、雷その他の電源ノイズによる影響もないので、表示内容が安定する。
【００１９】
（３）  請求項３の発明
この発明の電気調理器は、上記請求項１又は２の発明の構成において、液晶表示パネルに表示される情報が、販売促進用のデモ情報であることを特徴としている。
【００２０】
この発明の液晶表示パネルはメモリ機能を有し、電源がカットされても、それまでの表示状態を維持することができる。
【００２１】
したがって、一旦電圧を印加して以上のような販売促進用のデモ情報を表示した後、電源をＯＦＦにして販売店の店頭等に展示しても、以後はそのままデモ情報が表示された状態となる。
【００２２】
したがって、従来のような液晶表示がＯＦＦになる製品の場合と異なって、消費者への商品性能の訴求力が大幅に向上する。
【００２３】
（４）  請求項４の発明
この発明の電気調理器は、上記請求項１，２又は３の発明の構成において、液晶表示パネルがドットマトリックス表示方式のものであることを特徴としている。
【００２４】
ドットマトリックス表示方式の液晶表示パネルは、数字を中心とする従来型のセグメント表示方式の液晶表示パネルに比べて、数字はもちろん、文字やグラフィック（図形、絵）等の多種多様な情報の表示が可能となる。
【００２５】
したがって、このような液晶表示パネルを用いると、上記販売促進用のデモ情報の表示などに特に有効となる。
【発明の効果】
【００２６】
以上の結果、本願発明によると、常時液晶に電圧を印加することなく、表示内容を更新するときにだけ電圧を印加すれば良いので、電気炊飯器等電気調理器の時計表示、炊飯残時間表示、保温経過時間表示等の各種表示動作中の消費電力を大きく節約することができる。
【００２７】
また、停電時におけるバックアップ用電源電池の消費電源の節約にもなり、その寿命を十分に延命することができる。
【００２８】
また、電源がカットされても、それまでの表示状態を維持できるので、ドットマトリックス方式などを採用し、店頭時のデモ画面を何パターンかもたせて、自由に選択表示させることもできる。その結果、販売促進効果が向上する。
【００２９】
さらに、所定時間ごとに電圧を印加するだけですむので、その間の電源ノイズによる誤表示が軽減される。
【発明を実施するための最良の形態】
【００３０】
図１〜図４は、本願発明の最良の実施の形態に係る電気調理器、その一例としての電気炊飯器の全体および要部の構成と作用をそれぞれ示している。
【００３１】
（基本構成）
先ず本願発明の最良の実施の形態における電気調理器の一例である電気炊飯器は、例えば内鍋（飯器）３として電磁誘導の可能な磁性金属板よりなるものが採用されている一方、当該内鍋３に対する炊飯時の加熱手段として、合成樹脂製の内ケース４を介して当該内鍋３の底壁部３ａから側壁部３ｂの略全体を包み込むように当該内鍋３の底壁部３ａの中央部側と側方部側に対応する２組のワークコイルＣ1，Ｃ2が設けられ、また当該内鍋３に対する保温時等の加熱手段として、当該内鍋３の側壁部３ｂの全周に対応する保温ヒータＨ1、開口縁部３ｃの全周に対応する肩ヒータＨ2が設けられている。
【００３２】
そして、それらを後述する内鍋３に近い制御基板５Ａと操作パネル２０側操作基板５Ｂ上のマイコン制御ユニット３２とによって適切に駆動制御することによって、適切な炊飯／調理機能と保温機能とを実現できるようになっている。
【００３３】
一方、それらの機能に応じたタイマー予約や炊飯および保温メニュー、加熱調理メニューの選択、それら各メニューに対応した加熱量、加熱パターン、保温温度、保温時間などの選択設定操作は、当該電気炊飯器本体の前面側操作パネル部２０に設けられた各種入力スイッチ群（操作キー群）２２ａ〜２２ｉを介してユーザーにより行われ、その選択設定内容は上記マイコン制御ユニット３２のメモリ部にメモリされると同時に上記操作パネル部２０の液晶表示パネル２１上に表示される。
【００３４】
そして、同選択設定情報は、インターフェイス回路を介して上記マイコン制御ユニット３２に供給され、その情報内容に応じて最終的に上記ワークコイルＣ1，Ｃ2および保温ヒータＨ1、肩ヒータＨ2が制御されるようになっている。
【００３５】
上記液晶表示パネル２１には、例えば炊飯、保温の各メニュー、設定された保温温度、設定保温時間、保温経過時間（保温時間）、現在時刻、タイマー炊飯予約時刻、炊飯完了，調理完了までの残時間、その他の各種必要事項が表示されるようになっている。
【００３６】
この液晶表示パネル２１は、例えば図２に示すようなセグメント表示方式の普及型液晶パネルのみに限らず、該セグメント表示方式の液晶パネルに変えて、例えば図１２に示すようなドットマトリクス（アクティブマトリクス）表示方式の高級型液晶パネルも必要に応じて採用され、そのようにした場合には、同図１２に示すように現在時刻（ＡＭ５：３０）と現在時刻以外の時刻又は時間に関する表示（例えばタイマー予約時刻ＡＭ７：３０、その他炊飯・調理残時間、保温時間、保温経過時間など）の表示、また、それらの表示に変えて、販売店の店頭展示時における必要なデモ情報画面等を表示することができるようになっている。
【００３７】
本実施の形態の場合、特に該液晶表示パネル２１として、メモリ型（双安定性）の液晶パネル（例えば特開平６−３３７４４２号公報、特開２００５−２５８０９６号公報等を参照）を採用しており、常時液晶駆動回路に駆動電圧を印加することなく、表示内容を更新するときにだけ電圧を印加すれば良く、時計表示動作中の消費電力を大きく節約することができるようになっている。
【００３８】
（炊飯器本体部分の詳細な構成・・・図１，図２を参照）
該電気炊飯器の炊飯器本体は、例えば図１に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体の上部に開閉可能に設けられた蓋ユニット２とから構成されている。
【００３９】
上記内ケース４の底壁部４ａの下方側にはコイル台７が設けられ、その上部には、フェライトコアを介し、上記内鍋３の底壁部３ａの中央部と側方部の各位置に対応して各々リッツ線が同心状に巻成された２組のワークコイルＣ1，Ｃ2が、それぞれ内鍋３の底壁部３ａの中央部から側壁部３ｂに到る略全体を包み込むように設けられており、それらにより通電時には内鍋３の略全体にうず電流を誘起して、その全体を略均一に加熱するようになっている。そして、該ワークコイルＣ1，Ｃ2は、それぞれ相互に直列に接続されている（したがって、以下の動作説明および図３の制御回路図では単にワークコイルＣとして示す）。
【００４０】
そして、その一端は、例えば図３の制御回路図に示すように整流回路３５および平滑回路３６を介した電源ラインに、また他端はＩＧＢＴ（パワートランジスタ）３７のコレクタにそれぞれ接続されている。
【００４１】
また、上記内ケース４の側壁部には、保温時において加熱手段として機能する保温ヒータＨ1が設けられており、保温時において上記内鍋３の全体を有効かつ均一に加熱するようになっている。
【００４２】
また、上記内ケース４の前方側には、例えば図３に示されるような、ワークコイルＣ1，Ｃ2、保温ヒータＨ1、肩ヒータＨ2等を駆動制御する上記ＩＧＢＴ３７やヒータ駆動回路３３，２４、電源電圧整流用のダイオードブリッジよりなる整流回路３５、平滑回路３６などを備えた制御基板５Ａが上下方向に延びて設けられている。
【００４３】
また上記外ケース１は、例えば合成樹脂材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。
【００４４】
該操作パネル部２０の内側には、外周にメニュー等固定表示部２１ａを備えた十分に広く大きな表示面積をもつ液晶表示パネル２１が設けられ、さらに、その外周囲には炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ、省エネモード選択手段である省エネスイッチ２２ｉ等の各種操作スイッチが配設されている。
【００４５】
そして、該操作パネル２０の内側には、操作基板５Ｂが所定の間隔を保って設けられている。この操作基板５Ｂ上には、上記各種操作スイッチ２２ａ〜２２ｉ各々の接点部、後述するマイコン制御ユニット３２ＢおよびＥＥＰＲＯＭ、バックアップ用電源、上述したメモリ型の液晶表示パネル２１等が設けられている。
【００４６】
さらに、上記内ケース４下方側のコイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で内鍋温度検知センサＳおよび内鍋検知スイッチＬＳを備えたセンタセンサＣＳが設けられている。
【００４７】
一方、符号２は蓋ユニットであり、該蓋ユニット２は、その外周面を構成する外カバー１２と、内周面を構成する内カバー１３と、該内カバー１３の下側に着脱可能に設けられた金属製の放熱板１６とから構成されている。なお、符号１４は、内鍋３の開口縁部３ｃに対応するようにして上記放熱板１６の外周部に設けられたパッキンである。
【００４８】
この蓋ユニット２は、上記外ケース１上部の肩部材１１に対してヒンジ機構を介して回動自在に取付けられており、その開放端側には、該蓋ユニット２の所定位置に係合して該蓋ユニット２の上下方向への開閉を行うロック機構１８が設けられている。
【００４９】
（炊飯器本体側制御回路部分の構成：図３を参照）
次に、図３は、上述のように構成された炊飯器本体側の炊飯および保温制御用のマイコン制御ユニット３２を中心とする制御回路部分の詳細な構成を示す。
【００５０】
図中、符号３２が上述のような炊飯加熱制御手段および蒸し、保温加熱制御手段、時計表示手段、炊飯残時間表示手段、保温時間表示手段に加え、内鍋温度判定手段、内鍋検知手段、ブザー報知手段等を備えた炊飯・保温・表示制御用のマイコン制御ユニット（ＣＰＵ）であり、該マイコン制御ユニット３２はマイクロコンピュータを中心として構成され、例えば内鍋３の温度検知回路部、ワークコイル駆動制御回路部、内鍋３の検知回路部、発振回路部、リセット回路部、保温ヒータおよび肩ヒータ等駆動制御回路部、時計・残時間・保温時間その他の表示制御回路部、ブザー報知部、電源回路部等を各々併設して構成されている。
【００５１】
そして、先ず上記内鍋３の底壁部３ａ側センタセンサ部の内鍋温度検知センサＳ、内鍋検知スイッチＬＳに対応して設けられた温度検知回路４３および鍋検知回路４４には、例えば上記内鍋温度検知センサＳによる内鍋３の底壁部３ａの温度検知信号、内鍋検知スイッチＬＳによる鍋検知信号がそれぞれ入力されるようになっている。
【００５２】
また、上記ワークコイル駆動制御回路部は、例えばパルス幅変調回路４１、同期トリガー回路４０、ＩＧＢＴ駆動回路４２、ＩＧＢＴ３７、共振コンデンサ３８によって形成されている。そして、上記マイコン制御ユニット３２のワークコイル駆動制御回路部により、上記パルス幅変調回路４１を制御することにより、例えば炊飯工程に応じて上記ワークコイルＣ1，Ｃ2の出力値（％）および同出力値でのＯＮデューティー比（ｎ秒／１６秒）をそれぞれ適切に変えることによって、炊飯およびおこげ炊飯加熱工程の各工程における内鍋３の加熱温度と加熱パターンを炊飯量を考慮して適切に可変コントロールし、均一な吸水作用と加熱ムラのない御飯の炊き上げを実現するための適切な出力制御が行われるようになっている。
【００５３】
また同マイコン制御ユニット３２の保温ヒータ駆動制御回路部および肩ヒータ駆動制御回路部により、それぞれ保温ヒータ駆動回路３３および肩ヒータ駆動回路２４を制御することにより、例えば保温又は炊飯、蒸し加熱工程に応じて上記保温ヒータＨ1、肩ヒータＨ2の出力値（％）および同出力値でのＯＮデューティー比（ｎ秒／１６秒）をそれぞれ適切に変えることによって、保温又は炊飯、蒸し加熱工程の各工程における内鍋３の加熱温度と加熱パターンとを実際の炊飯量を考慮して適切に可変コントロールするための適切な出力制御が行われるようになっている。
【００５４】
また、符号２２ａ〜２２ｉは上述した各種入力スイッチ部であり、同スイッチの必要なものが適切に操作されると、上記マイコン制御ユニット３２側の認識手段によってユーザーの指示内容が認識され、その認識内容に応じて所望の炊飯又は保温加熱パターンを設定して上記炊飯加熱制御手段およびおこげ保温加熱制御手段を適切に作動させて所望の炊飯又は保温を行うようになっている。
【００５５】
したがって、ユーザーは、上記各入力スイッチ２２ａ〜２２ｉを使って炊飯およびおこげ炊飯、保温、タイマー予約、予約時刻設定、白米、無洗米、早炊、玄米、おかゆ、炊き込み、おこわ等各種メニューの炊き分け、通常保温又は低温保温等、その他の各種の炊飯および保温機能の選択設定内容を入力すれば、それに対応した機能内容が当該マイコン制御ユニット３２内の上記認識手段を介して炊飯および保温加熱パターン設定部に自動的に設定入力され、対応する炊飯又は保温加熱制御が所望の制御パターンで適切になされる。  さらに、符号１７は炊飯完了を知らせるブザー報知部、１６はリセット回路、２１は液晶表示部である。この実施の形態の場合、上記液晶表示部２１には、上記入力スイッチ２２ａ〜２２ｉのＯＮ操作に対応して所望のメニューや時刻等の必要事項が表示され、以後設定内容に応じた必要な表示がなされて行くようになっている。
【００５６】
（時計表示の場合・・・図４、図５参照）
一般に上述のような電気炊飯器では、待機画面中には時計表示（時刻表示）が行われるようになっている。これは、ＡＣプラグＯＮによりＡＣ電源が入っている時に限らず、例えば停電時等で電池によりバックアップされている時も同じである。
【００５７】
そこで、このような場合には、例えば図４に示すように、一旦液晶駆動回路に駆動電圧を供給して１０：３８分の時刻表示を行ってから、タイマーで６０秒の経過をカウントし、同６０秒が経過してステップＳ1でＹＥＳと判定されると、初めてステップＳ2に進んで液晶駆動回路に駆動電圧を供給し、図５に示すように１０：３９分に時刻を更新（加算）して表示する。
【００５８】
そして、同時計表示中は、この６０秒毎の（６０秒間隔の）駆動電圧の供給を間欠的に行なって、１分（６０秒）間隔の時刻表示を行なって行く。
【００５９】
以上の結果、同制御によると、常時液晶駆動回路に駆動電圧を印加することなく、表示内容を更新するときにだけ駆動電圧を印加すれば良いので、時計表示動作中の消費電力を大きく節約することができる。
【００６０】
また、停電時におけるバックアップ用電源電池の消費電源の節約にもなり、可及的に寿命を延命することができる。
【００６１】
また、ＡＣ電源がカットされても、それまでの表示状態を維持できるので、販売店の店頭でのデモ情報画面を何パターンかもたせておいて、自由に選択表示させることもできる。
【００６２】
さらに、所定時間ごとに電圧を印加するだけですむので、その間の電源ノイズによる誤表示が軽減される。
【００６３】
（炊飯残時間表示の場合・・・図６、図７を参照）
一般に上述のような電気炊飯器では、炊飯中には後何分で炊き上るかの残時間表示（あと何分）が行われるようになっている。
【００６４】
そこで、このような場合には、例えば図６に示すように、一旦液晶駆動回路に駆動電圧を供給してあと１５分の残時間表示を行ってから、タイマーで６０秒の経過をカウントし、同６０秒が経過してステップＳ1でＹＥＳと判定されると、初めてステップＳ2に進んで液晶駆動回路に駆動電圧を供給し、図７に示すようにあと１４分に残時間を更新（減算）して表示する。
【００６５】
そして、同残時間表示中は、この６０秒毎の（６０秒間隔の）駆動電圧の供給を間欠的に行なって、１分（６０秒）間隔で残時間を減らして行く。
【００６６】
以上の結果、同制御によると、常時液晶駆動回路に駆動電圧を印加することなく、表示内容を更新するときにだけ駆動電圧を印加すれば良いので、炊飯残時間表示動作中の消費電力を大きく節約することができる。
【００６７】
また、所定時間ごとに電圧を印加するだけですむので、その間の電源ノイズによる誤表示が軽減される。
【００６８】
（保温経過時間表示の場合・・・図８、図９を参照）
一般に上述のような電気炊飯器では、保温中には保温経過時間の表示が行われるようになっている。
【００６９】
そこで、このような場合には、例えば図８に示すように、一旦液晶駆動回路に駆動電圧を供給して１４ｈ（１４時間）から、タイマーで６０分の経過をカウントし、同６０分が経過してステップＳ1でＹＥＳと判定されると、初めてステップＳ2に進んで液晶駆動回路に駆動電圧を供給し、図９に示すように１５ｈ（１５時間）に時間を更新（加算）して表示する。
【００７０】
そして、同保温経過時間表示中は、この６０分毎の（６０分間隔の）駆動電圧の供給を間欠的に行なって、１時間（６０分）間隔の保温時間の経過表示を行って行く。
【００７１】
以上の結果、同制御によると、常時液晶駆動回路に駆動電圧を印加することなく、表示内容を更新するときにだけ駆動電圧を印加すれば良いので、保温経過時間表示動作中の消費電力を大きく節約することができる。
【００７２】
さらに、所定時間ごとに電圧を印加するだけですむので、その間の電源ノイズによる誤表示が軽減される。
【００７３】
（待機時および停電時の場合・・・図１０、図１１を参照）
上述のような電気炊飯器では、例えばＡＣプラグＯＮにより電源が入った待機初期には一旦操作に必要な待機画面を表示し、それに対応した操作キーの入力があると、さらに時計表示が行われる一方、停電が発生すると同時計表示（時刻表示）に代えて電源ＯＦＦ表示が行われるようにすることもできる。
【００７４】
すなわち、このような場合には、例えば図１０に示すように、電源がＯＮになると、一旦ステップＳ1で液晶駆動回路に駆動電圧を供給して、メニュー表示等通常の操作に必要な待機画面を表示する。
【００７５】
その後、ステップＳ2で何らかの操作キー（炊飯メニュー選択等）の操作によるキー入力があったか否かを判定し、何らかの操作キーの入力があったＹＥＳの場合には、さらにステップＳ3に進んで、炊飯開始スイッチ２２ａのＯＮを待つための待機画面としての時計表示（時刻表示）を行う。
【００７６】
そして、その後、ステップＳ4で所定の待機タイマーの待機設定時間の経過を判定し、同設定時間が経過するまでは、液晶駆動回路に電圧を印加することなく上記時計表示を継続するが、同設定時間が経過してＹＥＳになると、ステップＳ1にリターンし、液晶駆動回路に電圧を印加して同時計表示を再び上述の操作用待機画面に変更し、以後上述のステップＳ1〜Ｓ4〜Ｓ1の動作を繰り返す。
【００７７】
以上の結果、同制御によると、やはり常時液晶駆動回路に駆動電圧を印加することなく、表示内容を更新するときにだけ駆動電圧を印加すれば良いので、待機画面および時計表示動作中の消費電力を大きく節約することができる。
【００７８】
また、一方停電時においては、例えば現在の表示が時計表示又はその他の何のような表示状態にあったしても、例えば図１１示すように、一旦バックアップ用の電源電池による電圧を印加してＯＦＦ表示を行ない、その後は同電池による電圧をＯＦＦにして図１１のＯＦＦ表示を続ける。この結果、停電時におけるバックアップ用電源電池の電源の大幅な節約になり、その寿命を十分に延命することができる。
【００７９】
（ドットマトリックス表示方式の液晶パネルを採用した場合について・・・図１２を参照）
本実施の形態では、上述した図２に示すようなセグメント表示方式の普及型液晶パネル２１に変えて、例えば図１２に示すようなドットマトリクス（アクティブマトリクス）表示方式の高級型液晶パネルを採用することも可能であり、該ドットマトリクス表示方式の液晶パネルが採用された時には、図示のように現在時刻（ＡＭ５：３０）と現在時刻以外の時刻又は時間に関する表示（例えばタイマー予約時刻ＡＭ７：３０、その他炊飯・調理残時間、保温時間、保温経過時間など）とを同時に表示することができ、さらには文字、図形、絵などのグラフィック表示をも行うことができるので、表示情報が豊富で、しかも見やすいものになる。
【００８０】
しかも、その上で、上述の普及型液晶パネルの場合と全く同様に、常時液晶に電圧を印加することなく、表示内容を更新するときにだけ電圧を印加すれば良いので、同液晶パネルを用いた場合にも時計表示、炊飯残時計間表示、保温経過時間表示等の各種表示動作中の消費電力を大きく節約することができる。
【００８１】
また、停電時におけるバックアップ用電源電池の消費電源の節約にもなり、可及的に寿命を延命することができる。
【００８２】
また、所定時間ごとに電圧を印加するだけですむので、その間の電源ノイズによる誤表示が軽減される。
【００８３】
さらに、ＡＣ電源がカットされても、それまでの表示状態を維持できることから、電源のない販売店の店頭における製品展示状態においても、時計表示又は所定の内容の待機画面を表示させて置くことができる。
【００８４】
したがって、この待機画面を、例えば販売促進に有効な所望のデモ情報画面を何パターンか持たせておいて、自由に選択表示させるようにすることもでき、そのようにすると、情報内容の豊かさから言って、特に販売促進に有効なものとなる。
【００８５】
（その他の実施の形態）
本願発明の適用対象となる機器は、以上のような電気炊飯器の場合に限らず、例えば電気圧力鍋その他の各種の電気調理器に適用することができる。
【図面の簡単な説明】
【００８６】
【図１】本願発明の最良の実施の形態に係る電気炊飯器本体の構成を示す一部切欠側面図である。
【図２】同電気炊飯器本体の要部である操作パネル（液晶表示パネル）部分の拡大正面図である。
【図３】同電気炊飯器本体の要部であるマイコン制御ユニットを中心とする制御回路部分のブロック図である。
【図４】同電気炊飯器の液晶表示パネルの時計表示制御の内容を示すフローチャートである。
【図５】同電気炊飯器の液晶表示パネルの時計表示を示す図である。
【図６】同電気炊飯器の液晶表示パネルの炊飯時の残時間表示を示すフローチャートである。
【図７】同電気炊飯器の液晶表示パネルの炊飯時の残時間表示を示す図である。
【図８】同電気炊飯器の液晶表示パネルの保温時間表示制御の内容を示すフローチャートである。
【図９】同電気炊飯器の液晶表示パネルの保温時間表示を示す図である。
【図１０】同電気炊飯器の液晶表示パネルの待機時の表示制御の内容を示すフローチャートである。
【図１１】同電気炊飯器の液晶表示パネルの停電時の表示を示す図である。
【図１２】同電気炊飯器の液晶表示パネルのドットマトリックス表示の内容を示す正面図である。
【符号の説明】
【００８７】
Ｃ1，Ｃ2，Ｃはワークコイル、Ｈ1は保温ヒータ、１は外ケース、２は蓋ユニット、３は内鍋、２０は操作パネル、２１は液晶表示パネル、３０はＡＣ電源、３２はマイコン制御ユニット、５Ａは制御基板、５Ｂは操作基板である。
【図１】
2008259741.tif 000003
【図２】
2008259741.tif 000004
【図３】
2008259741.tif 000005
【図４】
2008259741.tif 000006
【図５】
2008259741.tif 000007
【図６】
2008259741.tif 000008
【図７】
2008259741.tif 000009
【図８】
2008259741.tif 000010
【図９】
2008259741.tif 000011
【図１０】
2008259741.tif 000012
【図１１】
2008259741.tif 000013
【図１２】
2008259741.tif 000014